(57)【要約】【課題】複数の単語帳を用いて学習を行う場合の学習効率を向上させる。【解決手段】電子辞書1は、複数の単語を記憶するとともに、当該複数の単語ぞれぞれについて学習済み或いは未学習の旨を対応付けて記憶した複数の単語帳テーブル870と、ユーザ操作に基づき単語帳テーブル870の何れかを選択単語帳テーブル870Sとして選択する入力部30と、選択単語帳テーブル870Sとは異なる他の単語帳テーブル870を参照し、選択単語帳テーブル870Sにおいて未学習の旨に対応付けられた単語のうち、他の単語帳テーブル870で学習済みの旨に対応付けられている単語を、当該選択単語帳テーブル870Sで学習済みの旨に対応付けて記憶させるＣＰＵ20とを備える。ＣＰＵ20は、選択単語帳テーブル870Sにおいて学習済みの旨に対応付けられた単語と、未学習の旨に対応付けられた単語とを区別して表示させる。【選択図】図９
2013033118.tif 000002
【特許請求の範囲】
【請求項１】
複数の単語を記憶するとともに、当該複数の単語のぞれぞれについてユーザ操作に基づき学習済み或いは未学習の旨を対応付けて記憶した単語帳テーブルを複数記憶する単語帳テーブル記憶手段と、
ユーザ操作に基づいて、前記複数の単語帳テーブルの何れかを選択単語帳テーブルとして選択する単語帳選択手段と、
前記複数の単語帳テーブルのうち、前記選択単語帳テーブルとは異なる少なくとも１つの他の単語帳テーブルを参照し、前記選択単語帳テーブルにおいて未学習の旨に対応付けられた単語のうち、前記他の単語帳テーブルで学習済みの旨に対応付けられている単語を、当該選択単語帳テーブルで学習済みの旨に対応付けて記憶させる単語帳同期手段と、
前記選択単語帳テーブルにおいて学習済みの旨に対応付けられた単語と、未学習の旨に対応付けられた単語とを区別して表示させる単語表示制御手段と、
を備えることを特徴とする情報表示装置。    
【請求項２】
請求項１記載の情報表示装置において、
前記複数の単語帳テーブルのうち、ユーザ操作により指定される指定単語帳テーブルに記憶された単語についてテスト問題を表示させるテスト問題表示制御手段と、
ユーザ操作に基づいて、前記テスト問題にユーザが正解したか否かを判定する正誤判定手段と、
を備え、
前記単語帳テーブル記憶手段は、
前記指定単語帳テーブルに記憶された複数の単語のそれぞれについて、前記正誤判定手段による判定結果に基づき正解済み或いは未正解の旨を対応付けて記憶する正誤記憶手段を有し、
前記単語帳同期手段は、
前記選択単語帳テーブルにおいて未正解の旨に対応付けられた単語のうち、前記他の単語帳テーブルで正解済みの旨に対応付けられている単語を、当該選択単語帳テーブルで正解済みの旨に対応付けて記憶させる正解・未正解同期手段を有することを特徴とする情報表示装置。
【請求項３】
請求項２記載の情報表示装置において、
前記単語帳テーブル記憶手段は、
記憶単語に対してユーザに要求される学習到達度のレベル別に単語帳テーブルを記憶しており、
前記正解・未正解同期手段は、
前記選択単語帳テーブルのレベルが前記他の単語帳テーブルのレベルより低い場合にのみ、
当該選択単語帳テーブルにおいて未正解の旨に対応付けられた単語のうち、前記他の単語帳テーブルで正解済みの旨に対応付けられている単語を、当該選択単語帳テーブルで正解済みの旨に対応付けて記憶させることを特徴とする情報表示装置。
【請求項４】
請求項３記載の情報表示装置において、
前記テスト問題表示制御手段は、
前記複数の単語帳テーブルのうち、所定の単語帳テーブルに記憶された単語については前記テスト問題として選択問題を表示させるとともに、当該単語帳テーブルよりもレベルの高い単語帳テーブルに記憶された単語については前記テスト問題として文字列の入力問題を表示させることを特徴とする情報表示装置。
【請求項５】
コンピュータに、
複数の単語を記憶するとともに、当該複数の単語のぞれぞれについてユーザ操作に基づき学習済み或いは未学習の旨を対応付けて記憶した単語帳テーブルを複数記憶する単語帳テーブル記憶機能と、
ユーザ操作に基づいて、前記複数の単語帳テーブルの何れかを選択単語帳テーブルとして選択する単語帳選択機能と、
前記複数の単語帳テーブルのうち、前記選択単語帳テーブルとは異なる少なくとも１つの他の単語帳テーブルを参照し、前記選択単語帳テーブルにおいて未学習の旨に対応付けられた単語のうち、前記他の単語帳テーブルで学習済みの旨に対応付けられている単語を、当該選択単語帳テーブルで学習済みの旨に対応付けて記憶させる単語帳同期機能と、
前記選択単語帳テーブルにおいて学習済みの旨に対応付けられた単語と、未学習の旨に対応付けられた単語とを区別して表示させる単語表示制御機能と、
を実現させることを特徴とする情報表示プログラム。
【発明の詳細な説明】
【技術分野】
【０００１】
本発明は、情報表示装置及び情報表示プログラムに関する。
【背景技術】
【０００２】
従来から、辞書機能を有する電子辞書などの情報表示装置においては、各見出し語と見出し語の説明情報とを対応付けて記憶する辞書データベースが備えられており、入力された文字列に対応する見出し語の説明情報を辞書データベースから読み出して、見出し語と説明情報とをディスプレイに表示させるようになっている。
【０００３】
このような情報表示装置には、近年、単語帳機能が搭載されるようになっている。単語帳機能とは、複数の単語を記憶しておき、復習を容易化して学習効率を向上させる機能である。更に、単語帳機能が搭載された情報表示装置には複数の単語帳が内蔵されるようになっており、これらの単語帳には、例えば、試験の重要単語がデフォルトで記憶されたり、ユーザ指定の単語がジャンル別に振り分けて記憶されたりしている。
【０００４】
ところで、ＰＤＡなどの携帯端末とパソコンとを組み合わせてモバイル学習を行うための学習システムの技術分野においては、ＰＤＡとパソコンとの間でスケジュールやＴＯ ＤＯデータ、アドレス帳データなどのシンクロ（同期）処理が行われると、それまでＰＤＡに転送記憶されていた学習コンテンツの一部に対する学習結果（テスト問題正解率）や、スケジュール，ＴＯ ＤＯデータ，アドレス帳などに基づいて、次にＰＤＡに転送すべき学習コンテンツの内容が選択され、ＰＤＡに送信転送されるようになっている（例えば、特許文献１参照）。この技術によれば、継続的かつ効果的なモバイル学習を促すことができる。
【先行技術文献】
【特許文献】
【０００５】
【特許文献１】特開２００３−２８０５０４号公報
【発明の概要】
【発明が解決しようとする課題】
【０００６】
しかしながら、複数の単語帳が使用可能な従来の情報表示装置においては、或る単語帳での学習を中断して別の単語帳で新たに学習を始める場合に、重複する単語を改めて学習し直す必要があり、学習効率が低くなってしまうという問題がある。
【０００７】
本発明の課題は、複数の単語帳を用いて学習を行う場合の学習効率を向上させることのできる情報表示装置及び情報表示プログラムを提供することである。
【課題を解決するための手段】
【０００８】
請求項１記載の発明は、情報表示装置において、
複数の単語を記憶するとともに、当該複数の単語のぞれぞれについてユーザ操作に基づき学習済み或いは未学習の旨を対応付けて記憶した単語帳テーブルを複数記憶する単語帳テーブル記憶手段と、
ユーザ操作に基づいて、前記複数の単語帳テーブルの何れかを選択単語帳テーブルとして選択する単語帳選択手段と、
前記複数の単語帳テーブルのうち、前記選択単語帳テーブルとは異なる少なくとも１つの他の単語帳テーブルを参照し、前記選択単語帳テーブルにおいて未学習の旨に対応付けられた単語のうち、前記他の単語帳テーブルで学習済みの旨に対応付けられている単語を、当該選択単語帳テーブルで学習済みの旨に対応付けて記憶させる単語帳同期手段と、
前記選択単語帳テーブルにおいて学習済みの旨に対応付けられた単語と、未学習の旨に対応付けられた単語とを区別して表示させる単語表示制御手段と、
を備えることを特徴とする。
【発明の効果】
【０００９】
本発明によれば、複数の単語帳を用いて学習を行う場合の学習効率を向上させることができる。
【図面の簡単な説明】
【００１０】
【図１】電子辞書の概観を示す平面図である。
【図２】電子辞書の内部構成を示すブロック図である。
【図３】情報表示処理を示すフローチャートである。
【図４】単語帳学習履歴同期処理を示すフローチャートである。
【図５】問題表示・回答処理を示すフローチャートである。
【図６】表示部の表示内容を示す図である。
【図７】表示部の表示内容を示す図である。
【図８】表示部の表示内容を示す図である。
【図９】表示部の表示内容を示す図である。
【発明を実施するための形態】
【００１１】
以下、図面を参照して、本発明に係る情報表示装置を電子辞書に適用した場合の実施形態について詳細に説明する。
【００１２】
［外観構成］
図１は、電子辞書１の平面図である。
この図に示すように、電子辞書１は、メインディスプレイ１０、サブディスプレイ１１、カードスロット１２及びキー群２を備えている。
【００１３】
メインディスプレイ１０及びサブディスプレイ１１は、ユーザによるキー群２の操作に応じた文字や符号等、各種データをカラーで表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１４】
カードスロット１２は、種々の情報を記憶した外部情報記憶媒体１２ａ（図２参照）と着脱可能に設けられている。
【００１５】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、シフトキー２ｆと、戻るキー２ｇと、単語帳キー２ｈ等とを有している。
【００１６】
訳／決定キー２ｂは、検索の実行や、見出し語の決定等に使用されるキーである。文字キー２ｃは、ユーザによる文字の入力等に使用されるキーであり、本実施の形態においては“Ａ”〜“Ｚ”キーを備えている。辞書選択キー２ｄは、後述の辞書データベース８２０，…（図２参照）の選択に使用されるキーである。
【００１７】
カーソルキー２ｅは、画面内の反転表示位置、つまりカーソル位置の移動等に使用されるキーであり、本実施の形態においては上下左右の方向を指定可能となっている。シフトキー２ｆは、日本語の単語を検索対象に設定するとき等に使用されるキーである。戻るキー２ｇは、前回表示した画面に戻るとき等に使用されるキーである。単語帳キー２ｈは、単語帳テーブル８７０に記憶された見出し語を一覧表示するとき等に使用されるキーである。
【００１８】
［内部構成］
続いて、電子辞書１の内部構造について説明する。図２は、電子辞書１の内部構成を示すブロック図である。
【００１９】
この図に示すように、電子辞書１は、表示部４０、入力部３０、記録媒体読取部６０、ＣＰＵ（Central Processing Unit）２０、フラッシュＲＯＭ（Read Only Memory）８０、ＲＡＭ（Random Access Memory）９０を備え、各部はバスで相互にデータ通信可能に接続されて構成されている。
【００２０】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００２１】
入力部３０は、上述のキー群２やタッチパネル１１０を備えており、押下されたキーやタッチパネル１１０の位置に対応する信号をＣＰＵ２０に出力するようになっている。
【００２２】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００２３】
ここで、外部情報記憶媒体１２ａには、通信部５０を介してダウンロードされる辞書データベース８２０や単語帳テーブル８７０が格納されるようになっている。なお、これら辞書データベース８２０や単語帳テーブル８７０は後述のフラッシュＲＯＭ８０における辞書データベース８２０や単語帳テーブル８７０と同様のデータ構造を有しているため、ここでは説明を省略する。
【００２４】
フラッシュＲＯＭ８０は、電子辞書１の各種機能を実現するためのプログラムやデータを記憶するメモリである。本実施の形態においては、フラッシュＲＯＭ８０は、本発明に係る情報表示プログラム８１と、辞書データベース群８２と、単語帳テーブル８７０等とを記憶している。
【００２５】
情報表示プログラム８１は、後述の情報表示処理（図３参照）をＣＰＵ２０に実行させるためのプログラムである。
【００２６】
辞書データベース群８２は、辞書データベース８２０を複数有しており、本実施の形態においては、英和辞書や英漢辞書などの辞書データベース８２０を有している。
【００２７】
これら辞書データベース８２０，…には、見出し語と、この見出し語の説明情報とを対応付けた見出し語情報が複数格納されている。
【００２８】
単語帳テーブル群８７は、複数の単語を収録した単語帳テーブル８７０を複数有している。各単語帳テーブル８７０は、各収録単語についてユーザが学習済みであるか否かについての情報（学習済み／未学習の旨）と、テスト問題について正解済みであるか否かについての情報（正解済み／未正解の旨）とをそれぞれ対応付けて記憶するようになっている。
【００２９】
ここで、本実施の形態における各単語帳テーブル８７０は、収録単語に対してユーザに要求される学習到達度に応じて、レベル（Ａ）〜（Ｃ）（但し、レベルＡは最も学習到達度が低い）の３種類に分類される。なお、以下の説明においては、単語帳テーブル群８７は単語帳テーブル８７０をレベル（Ａ）〜（Ｃ）毎に１つずつ、計３つ有することとして説明するが、レベル毎に２つ以上有することとしても良い。
【００３０】
これら３つの単語帳テーブル８７０のうち、レベル（Ａ）の単語帳テーブル８７０は、ユーザにより登録操作のされた単語を蓄積記憶するようになっており、単語の登録時に当該単語を学習済みとして記憶する。また、このレベル（Ａ）の単語帳テーブル８７０では、収録単語とその説明情報とがテスト問題として表示され、このテスト問題を見てユーザが意味内容を覚えていると自分で判断し、その旨の操作をした場合には、当該単語に対して正解済みの旨が記憶される。なお、本実施の形態においては、レベル（Ａ）の単語帳テーブル８７０は、マーカ単語帳となっており、収録単語について、当該単語の説明情報中、ユーザ操作に基づいてマーカ表示された文字列の位置情報が記憶されるようになっている。
【００３１】
また、レベル（Ｂ）の単語帳テーブル８７０は、デフォルトで複数の単語を記憶しており、本実施の形態においては所定の試験（例えばＴＯＥＦＬ（登録商標））用の受験単語集となっている。このレベル（Ｂ）の単語帳テーブル８７０では、収録単語についてテスト問題が表示されたか否かに基づいて、当該単語が学習済みであるか否かが記憶される。また、このレベル（Ｂ）の単語帳テーブル８７０では、収録単語に関する選択問題がテスト問題として表示され、ユーザの選択入力した回答に基づいて、当該単語が正解済みであるか否かが記憶される。より具体的には、この単語帳テーブル８７０のテスト問題には、収録単語の意味内容と、複数の単語の選択肢とが問題文に含まれる。なお、本実施の形態においては、レベル（Ｂ）の単語帳テーブル８７０では、収録単語について、当該単語についてのテスト問題の問題文と、正解とが対応付けられている。
【００３２】
また、レベル（Ｃ）の単語帳テーブル８７０は、デフォルトで複数の単語を記憶しており、本実施の形態においては所定の試験（例えばＴＯＥＩＣ（登録商標））用の必須単語集となっている。このレベル（Ｃ）の単語帳テーブル８７０では、収録単語についてテスト問題が表示されたか否かに基づいて、当該単語が学習済みであるか否かが記憶される。また、このレベル（Ｃ）の単語帳テーブル８７０では、収録単語の意味内容を問題文とし、収録単語の綴りの文字列を入力させる入力問題がテスト問題として表示され、ユーザの入力した回答に基づいて、当該単語が正解済みであるか否かが記憶される。なお、本実施の形態においては、レベル（Ｃ）の単語帳テーブル８７０では、収録単語について、当該単語についてのテスト問題の問題文（単語の意味内容）と、正解とが対応付けられている。
【００３３】
ＲＡＭ９０は、ＣＰＵ２０が実行する各種プログラムや、これらプログラムの実行に係るデータ等を一時的に保持するメモリ領域を備えている。
【００３４】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００３５】
［動作］
続いて、電子辞書１の動作について、図面を参照しつつ説明する。
【００３６】
（情報表示処理）
図３は、ＣＰＵ２０が情報表示プログラム８１を読み出して実行する情報表示処理の流れを示すフローチャートである。
【００３７】
この図に示すように、この情報表示処理においては、まずＣＰＵ２０は、見出し語検索の対象として英和辞書の辞書データベース８２０が選択されるか否かを判定し（ステップＳ１）、選択されたと判定した場合（ステップＳ１；Ｙｅｓ）には、ユーザから検索文字列の入力操作を受ける（ステップＳ２）。
【００３８】
次に、ＣＰＵ２０は、検索文字列に対応する見出し語、例えば検索文字列に前方一致する見出し語を英和辞書の辞書データベース８２０で検索し、検出された見出し語の説明情報をメインディスプレイ１０に表示させる（ステップＳ３）。
【００３９】
次に、ＣＰＵ２０は、説明情報中にマーカを引く旨の操作が行われるか否かを判定し（ステップＳ４）、行われないと判定した場合（ステップＳ４；Ｎｏ）には他の処理へ移行する。
【００４０】
また、ステップＳ４においてマーカを引く旨の操作が行われたと判定した場合（ステップＳ４；Ｙｅｓ）には、ＣＰＵ２０は、現時点で説明情報の表示されている見出し語の単語と、当該単語について学習済みである旨と、マーカ操作の行われた文字列の位置情報とを対応付けてマーカ単語帳の単語帳テーブル８７０（レベル（Ａ）の単語帳テーブル８７０）に記憶させる（ステップＳ５）。
【００４１】
次に、ＣＰＵ２０は、戻るキー２ｇが操作されるか否かを判定し（ステップＳ６）、操作されないと判定した場合（ステップＳ６；Ｎｏ）には他の処理へ移行し、操作されたと判定した場合（ステップＳ６；Ｙｅｓ）には上述のステップＳ１に移行する。
【００４２】
また、このステップＳ１において見出し語検索の対象として英和辞書の辞書データベース８２０が選択されないと判定した場合（ステップＳ１；Ｎｏ）には、ＣＰＵ２０は、ユーザにより選択される単語帳テーブル８７０（以下、選択単語帳テーブル８７０Ｓとする）がマーカ単語帳の単語帳テーブル８７０（レベル（Ａ）の単語帳テーブル８７０）であるか否かを判定する（ステップＳ１１）。
【００４３】
このステップＳ１１において選択単語帳テーブル８７０Ｓがマーカ単語帳の単語帳テーブル８７０であると判定した場合（ステップＳ１１；Ｙｅｓ）には、ＣＰＵ２０は、当該選択単語帳テーブル８７０Ｓ（マーカ単語帳の単語帳テーブル８７０）に登録された単語を一覧表示させる旨の操作が行われるか否かを判定し（ステップＳ１２）、行われないと判定した場合（ステップＳ１２；Ｎｏ）には他の処理へ移行する。
【００４４】
また、ステップＳ１２において単語を一覧表示させる旨の操作が行われたと判定した場合（ステップＳ１２；Ｙｅｓ）には、ＣＰＵ２０は、選択単語帳テーブル８７０Ｓ（マーカ単語帳の単語帳テーブル８７０）に登録された単語をメインディスプレイ１０に一覧表示させる（ステップＳ１３）。
【００４５】
次に、ＣＰＵ２０は、ユーザにより何れかの単語が指定されるか否かを判定し（ステップＳ１４）、指定されないと判定した場合（ステップＳ１４；Ｎｏ）には他の処理へ移行する。
【００４６】
また、ステップＳ１４において何れかの単語が指定されたと判定した場合（ステップＳ１４；Ｙｅｓ）には、ＣＰＵ２０は、指定単語の説明情報を英和辞書の辞書データベース８２０から読み出し、当該指定単語と併せてメインディスプレイ１０に表示させるとともに、この説明情報中、選択単語帳テーブル８７０Ｓ（マーカ単語帳の単語帳テーブル８７０）において指定単語に対応付けられた位置情報の文字列をマーカ表示して潜像化させる（ステップＳ１５）。なお、本実施の形態においては、このとき表示される内容は指定単語についてのテスト問題となっており、表示内容を見てユーザが意味内容を覚えているか否かを自分で判断するようになっている。
【００４７】
次に、ＣＰＵ２０は、潜像化を解除する旨の操作が行われるか否かを判定し（ステップＳ１６）、行われないと判定した場合（ステップＳ１６；Ｎｏ）には他の処理へ移行する。
【００４８】
また、ステップＳ１６において潜像化を解除する旨の操作が行われたと判定した場合（ステップＳ１６；Ｙｅｓ）には、ＣＰＵ２０は、潜像化を解除して指定単語の説明情報を表示させる（ステップＳ１７）。
【００４９】
次に、ＣＰＵ２０は、指定単語のテスト問題に正解した旨の操作（指定単語の意味内容を覚えていると判断した旨の操作）が行われるか否かを判定し（ステップＳ１８）、行われないと判定した場合（ステップＳ１８；Ｎｏ）には後述のステップＳ２０に移行する。
【００５０】
また、ステップＳ１８においてテスト問題に正解した旨の操作が行われたと判定した場合（ステップＳ１８；Ｙｅｓ）には、ＣＰＵ２０は、指定単語のテスト問題にユーザが正解したと判定し、選択単語帳テーブル８７０Ｓ（マーカ単語帳の単語帳テーブル８７０）において指定単語に正解済みの旨を対応付けて記憶させる（ステップＳ１９）。
【００５１】
次に、ＣＰＵ２０は、戻るキー２ｇが操作されるか否かを判定し（ステップＳ２０）、操作されたと判定した場合（ステップＳ２０；Ｙｅｓ）にはステップＳ１３に移行する。
【００５２】
また、ステップＳ２０において戻るキー２ｇが操作されないと判定した場合（ステップＳ２０；Ｎｏ）には、ＣＰＵ２０は、情報表示処理の先頭へ移行する旨の操作が行われるか否かを判定し（ステップＳ２１）、行われないと判定した場合（ステップＳ２１；Ｎｏ）には他の処理へ移行する一方、行われたと判定した場合（ステップＳ２１；Ｙｅｓ）にはステップＳ１に移行する。
【００５３】
また、上述のステップＳ１１において学習対象として選択単語帳テーブル８７０Ｓがマーカ単語帳の単語帳テーブル８７０ではないと判定した場合（ステップＳ１１；Ｎｏ）には、ＣＰＵ２０は、選択単語帳テーブル８７０Ｓが受験単語集の単語帳テーブル８７０（レベル（Ｂ）の単語帳テーブル８７０）であるか否かを判定する（ステップＳ３１）。
【００５４】
このステップＳ３１において選択単語帳テーブル８７０Ｓが受験単語集の単語帳テーブル８７０であると判定した場合（ステップＳ３１；Ｙｅｓ）には、ＣＰＵ２０は、単語帳学習履歴同期処理を行う（ステップＳ３２）。
【００５５】
具体的には、図４に示すように、この単語帳学習履歴同期処理においてまずＣＰＵ２０は、選択単語帳テーブル８７０Ｓのレベルが「Ｂ」であるか否かを判定する（ステップＴ１）。
【００５６】
このステップＴ１においてレベルが「Ｂ」であると判定した場合（ステップＴ１；Ｙｅｓ）には、ＣＰＵ２０は、レベル（Ａ）の単語帳テーブル８７０との同期処理を行う（ステップＴ２）。より詳細には、このときＣＰＵ２０は、選択単語帳テーブル８７０Ｓに含まれる未学習の各単語のうち、レベル（Ａ）の単語帳テーブル８７０に含まれる各単語、つまりレベル（Ａ）の単語帳テーブル８７０に含まれる学習済みの各単語を、学習済み、かつ未正解として選択単語帳テーブル８７０Ｓ内の情報を更新する。
【００５７】
次に、ＣＰＵ２０は、選択単語帳テーブル８７０Ｓの他にレベル（Ｂ）の単語帳テーブル８７０が存在する場合には、レベル（Ｂ）の単語帳テーブル８７０との同期処理を行う（ステップＴ３）。より詳細には、このときＣＰＵ２０は、選択単語帳テーブル８７０Ｓに含まれる未正解の単語（未学習かつ未正解の単語、及び、学習済みかつ未正解の単語）のうち、他のレベル（Ｂ）の単語帳テーブル８７０において学習済み、かつ未正解の旨に対応付けられた各単語を、学習済み、かつ未正解として選択単語帳テーブル８７０Ｓ内の情報を更新する。更に、このときＣＰＵ２０は、選択単語帳テーブル８７０Ｓに含まれる単語のうち、他のレベル（Ｂ）の単語帳テーブル８７０において学習済み、かつ正解済みの旨に対応付けられた各単語を、学習済み、かつ正解済として選択単語帳テーブル８７０Ｓ内の情報を更新する。
【００５８】
次に、ＣＰＵ２０は、レベル（Ｃ）の単語帳テーブル８７０との同期処理を行い（ステップＴ４）、単語帳学習履歴同期処理を終了する。より詳細には、このステップＴ４においてＣＰＵ２０は、選択単語帳テーブル８７０Ｓに含まれる未正解の単語（未学習かつ未正解の単語、及び、学習済みかつ未正解の単語）のうち、レベル（Ｃ）の単語帳テーブル８７０において学習済み、かつ未正解の旨に対応付けられた各単語を、学習済み、かつ未正解として選択単語帳テーブル８７０Ｓ内の情報を更新する。更に、このときＣＰＵ２０は、選択単語帳テーブル８７０Ｓに含まれる単語のうち、レベル（Ｃ）の単語帳テーブル８７０において学習済み、かつ正解済みの旨に対応付けられた各単語を、学習済み、かつ正解済として選択単語帳テーブル８７０Ｓ内の情報を更新する。
【００５９】
また、上述のステップＴ１において選択単語帳テーブル８７０Ｓのレベルが「Ｂ」でないと判定した場合（ステップＴ１；Ｎｏ）には、ＣＰＵ２０は、選択単語帳テーブル８７０Ｓのレベルが「Ｃ」であるか否かを判定する（ステップＴ１１）。
【００６０】
このステップＴ１１においてレベルが「Ｃ」ではないと判定した場合、つまり選択単語帳テーブル８７０Ｓのレベルが「Ａ」である場合（ステップＴ１１；Ｎｏ）には、ＣＰＵ２０は、他の処理へ移行する。
【００６１】
また、ステップＴ１１においてレベルが「Ｃ」であると判定した場合（ステップＴ１１；Ｙｅｓ）には、ＣＰＵ２０は、レベル（Ａ）の単語帳テーブル８７０との同期処理を行う（ステップＴ１２）。より詳細には、このときＣＰＵ２０は、選択単語帳テーブル８７０Ｓに含まれる未学習の単語のうち、レベル（Ａ）の単語帳テーブル８７０に含まれる各単語、つまりレベル（Ａ）の単語帳テーブル８７０に含まれる学習済みの各単語を、学習済み、かつ未正解として選択単語帳テーブル８７０Ｓ内の情報を更新する。
【００６２】
次に、ＣＰＵ２０は、レベル（Ｂ）の単語帳テーブル８７０との同期処理を行う（ステップＴ１３）。より詳細には、このときＣＰＵ２０は、選択単語帳テーブル８７０Ｓに含まれる単語のうち、レベル（Ｂ）の単語帳テーブル８７０において学習済みの旨に対応付けられた各単語を、学習済みとして選択単語帳テーブル８７０Ｓ内の情報を更新する。
【００６３】
次に、ＣＰＵ２０は、選択単語帳テーブル８７０Ｓの他にレベル（Ｃ）の単語帳テーブル８７０が存在する場合には、レベル（Ｃ）の単語帳テーブル８７０との同期処理を行い（ステップＴ１４）、単語帳学習履歴同期処理を終了する。より詳細には、このステップＴ１４においてＣＰＵ２０は、選択単語帳テーブル８７０Ｓに含まれる未正解の単語（未学習かつ未正解の単語、及び、学習済みかつ未正解の単語）のうち、他のレベル（Ｃ）の単語帳テーブル８７０において学習済み、かつ未正解の旨に対応付けられた各単語を、学習済み、かつ未正解として選択単語帳テーブル８７０Ｓ内の情報を更新する。更に、このときＣＰＵ２０は、選択単語帳テーブル８７０Ｓに含まれる単語のうち、他のレベル（Ｃ）の単語帳テーブル８７０において学習済み、かつ正解済みの旨に対応付けられた各単語を、学習済み、かつ正解済として選択単語帳テーブル８７０Ｓ内の情報を更新する。
【００６４】
以上の単語帳学習履歴同期処理が終了したら、図３に示すように、次にＣＰＵ２０は、選択単語帳テーブル８７０Ｓにおける学習済み、かつ正解済みの単語を一覧表示する旨の操作が行われるか否かを判定し（ステップＳ３３）、行われたと判定した場合（ステップＳ３３；Ｙｅｓ）には、このような単語をメインディスプレイ１０に一覧表示させた後（ステップＳ３４）、ステップＳ１に移行する。
【００６５】
また、ステップＳ３３において選択単語帳テーブル８７０Ｓにおける学習済み、かつ正解済みの単語を一覧表示する旨の操作が行われないと判定した場合（ステップＳ３３；Ｎｏ）には、ＣＰＵ２０は、選択単語帳テーブル８７０Ｓにおける学習済み、かつ未正解の単語を一覧表示する旨の操作が行われるか否かを判定する（ステップＳ３５）。
【００６６】
このステップＳ３５において選択単語帳テーブル８７０Ｓにおける学習済み、かつ未正解の単語を一覧表示する旨の操作が行われたと判定した場合（ステップＳ３５；Ｙｅｓ）には、ＣＰＵ２０は、このような単語をメインディスプレイ１０に一覧表示させる（ステップＳ３６）。
以上のステップＳ３３〜Ｓ３６により、選択単語帳テーブル８７０Ｓにおいて学習済みの旨に対応付けられた単語と、未学習の旨に対応付けられた単語とが区別して表示される。
【００６７】
次に、ＣＰＵ２０は、一覧表示された何れかの単語に対して指定操作が行われるか否かを判定し（ステップＳ４１）、行われないと判定した場合（ステップＳ４１；Ｎｏ）には他の処理へ移行する。
【００６８】
また、ステップＳ２０において一覧表示された何れかの単語に対して指定操作が行われたと判定した場合（ステップＳ４１；Ｙｅｓ）には、ＣＰＵ２０は、問題表示・回答処理を行う（ステップＳ４２）。
【００６９】
具体的には、図５に示すように、この問題表示・回答処理においてまずＣＰＵ２０は、指定単語に関するテスト問題をメインディスプレイ１０に表示させ（ステップＵ１）、ユーザから回答の入力を受ける（ステップＵ２）。なお、選択単語帳テーブル８７０Ｓがレベル（Ｂ）である場合には、このステップＵ２においてユーザは回答として選択肢の番号を入力し、選択単語帳テーブル８７０Ｓがレベル（Ｃ）である場合には、このステップＵ２においてユーザは回答として単語の綴りを入力する。
【００７０】
次に、ＣＰＵ２０は、選択単語帳テーブル８７０Ｓ内の情報に基づいて、入力された回答が正解であるか否かを判定する（ステップＵ３）。
【００７１】
そして、このステップＵ３において回答が正解であると判定した場合（ステップＵ３；Ｙｅｓ）には、ＣＰＵ２０は、選択単語帳テーブル８７０Ｓにおいて指定単語に学習済み、かつ正解済みの旨を対応付けて記憶させ（ステップＵ４）、問題表示・回答処理を終了する。
【００７２】
また、ステップＵ３において回答が不正解であると判定した場合（ステップＵ３；Ｎｏ）には、ＣＰＵ２０は、選択単語帳テーブル８７０Ｓにおいて指定単語に学習済み、かつ未正解の旨を対応付けて記憶させ（ステップＵ５）、問題表示・回答処理を終了する。
【００７３】
以上の問題表示・回答処理が終了したら、図３に示すように、次にＣＰＵ２０は、戻るキー２ｇが操作されるか否かを判定し（ステップＳ４３）、操作されたと判定した場合（ステップＳ４３；Ｙｅｓ）にはステップＳ３６に移行する。
【００７４】
また、ステップＳ４３において戻るキー２ｇが操作されないと判定した場合（ステップＳ４３；Ｎｏ）には、ＣＰＵ２０は、情報表示処理の先頭へ移行する旨の操作が行われるか否かを判定し（ステップＳ４４）、行われないと判定した場合（ステップＳ４４；Ｎｏ）には他の処理へ移行する一方、行われたと判定した場合（ステップＳ４４；Ｙｅｓ）にはステップＳ１に移行する。
【００７５】
また、上述のステップＳ３５において選択単語帳テーブル８７０Ｓにおける学習済み、かつ未正解の単語を一覧表示する旨の操作が行われないと判定した場合（ステップＳ３５；Ｎｏ）には、ＣＰＵ２０は、テスト問題をランダムに出題させる旨の操作が行われるか否かを判定する（ステップＳ５１）。
【００７６】
このステップＳ５１においてテスト問題をランダムに出題させる旨の操作が行われないと判定した場合（ステップＳ５１；Ｎｏ）には、ＣＰＵ２０は、他の処理へ移行する。
【００７７】
また、ステップＳ５１においてテスト問題をランダムに出題させる旨の操作が行われたと判定した場合（ステップＳ５１；Ｙｅｓ）には、ＣＰＵ２０は、選択単語帳テーブル８７０Ｓにおける何れかの単語をランダムに指定した後（ステップＳ５２）、上述のステップＳ４２と同様の問題表示・回答処理を行う（ステップＳ５３）。なお、ステップＳ５２の処理においては、ユーザ操作に基づいて、選択単語帳テーブル８７０Ｓにおける未正解の単語や、学習済みの単語のみをランダムに指定することとしても良い。
【００７８】
次に、ＣＰＵ２０は、次の問題を出題させる旨の操作が行われるか否かを判定し（ステップＳ５４）、行われたと判定した場合（ステップＳ５４；Ｙｅｓ）には、ステップＳ５２に移行する。
【００７９】
また、ステップＳ５４において次の問題を出題させる旨の操作が行われないと判定した場合（ステップＳ５４；Ｎｏ）には、ＣＰＵ２０は、情報表示処理の先頭へ移行する旨の操作が行われるか否かを判定し（ステップＳ５５）、行われないと判定した場合（ステップＳ５５；Ｎｏ）には他の処理へ移行する一方、行われたと判定した場合（ステップＳ５５；Ｙｅｓ）にはステップＳ１に移行する。
【００８０】
また、上述のステップＳ３１において選択単語帳テーブル８７０Ｓが受験単語集の単語帳テーブル８７０でないと判定した場合（ステップＳ３１；Ｙｅｓ）には、ＣＰＵ２０は、選択単語帳テーブル８７０Ｓが必須単語集の単語帳テーブル８７０（レベル（Ｃ）の単語帳テーブル８７０）であるか否かを判定する（ステップＳ６１）。
【００８１】
このステップＳ６１において選択単語帳テーブル８７０Ｓが必須単語集の単語帳テーブル８７０でないと判定した場合（ステップＳ６１；Ｎｏ）には、ＣＰＵ２０は、他の処理へ移行する。
【００８２】
また、ステップＳ６１において選択単語帳テーブル８７０Ｓが必須単語集の単語帳テーブル８７０であると判定した場合（ステップＳ６１；Ｙｅｓ）には、ＣＰＵ２０は、上述のステップＳ３２と同様の単語帳学習履歴同期処理を行った後（ステップＳ６２）、ステップＳ３３に移行する。
【００８３】
（動作例）
続いて、図６〜図９を参照しつつ、上記の情報表示処理を具体的に説明する。
【００８４】
まず、図６（ａ）に示すように、ユーザが見出し語検索の対象として英和辞書の辞書データベース８２０を選択し（ステップＳ１；Ｙｅｓ）、検索文字列「grant」を入力すると（ステップＳ２）、検索文字列「grant」に対応する見出し語「grant」が英和辞書の辞書データベース８２０から検出され、その説明情報がメインディスプレイ１０に表示される（ステップＳ３）。
【００８５】
次に、図６（ａ）に網掛け部分で示されるように、ユーザが説明情報中にマーカを引く旨の操作を行うと（ステップＳ４；Ｙｅｓ）、図６（ｂ）に示すように、現時点で説明情報の表示されている見出し語の単語「grant」と、当該単語について学習済みである旨と、マーカ操作の行われた文字列の位置情報とが対応付けられてマーカ単語帳の単語帳テーブル８７０（レベル（Ａ）の単語帳テーブル８７０）に記憶される（ステップＳ５）。なお、本動作例においては、単語帳テーブル群８７にはマーカ単語帳の単語帳テーブル８７０が「マーカ単語帳１」〜「マーカ単語帳６」の計６つ具備されており、このときユーザは何れか１つの単語帳テーブル８７０を登録先として選択できるようになっている。但し、以下の説明においては、ユーザが「マーカ単語帳１」のみを使用することとして説明する。
【００８６】
次に、ユーザが戻るキー２ｇを操作し（ステップＳ６；Ｙｅｓ）、上記と同様にして単語「differ」、「abuse」をマーカ単語帳の単語帳テーブル８７０に登録した後（ステップＳ１〜Ｓ５）、マーカ単語帳の単語帳テーブル８７０（レベル（Ａ）の単語帳テーブル８７０）を選択単語帳テーブル８７０Ｓとして選択し（ステップＳ１１；Ｙｅｓ）、当該選択単語帳テーブル８７０Ｓ（マーカ単語帳の単語帳テーブル８７０）に登録された単語を一覧表示させる旨の操作を行うと（ステップＳ１２；Ｙｅｓ）、図６（ｃ）に示すように、選択単語帳テーブル８７０Ｓに登録された単語がメインディスプレイ１０に一覧表示される（ステップＳ１３）。
【００８７】
次に、ユーザが単語「abuse」を指定すると（ステップＳ１４；Ｙｅｓ）、指定単語「abuse」の説明情報が英和辞書の辞書データベース８２０から読み出され、図７（ａ）に示すように、当該指定単語「abuse」と併せてメインディスプレイ１０に表示されるとともに、この説明情報中、選択単語帳テーブル８７０Ｓ（マーカ単語帳の単語帳テーブル８７０）において指定単語に対応付けられた位置情報の文字列がマーカ表示されて潜像化される（ステップＳ１５）。
【００８８】
次に、ユーザが潜像化を解除する旨の操作を行うと（ステップＳ１６；Ｙｅｓ）、図７（ｂ）に示すように、潜像化が解除されて指定単語「abuse」の説明情報が表示される（ステップＳ１７）。
【００８９】
次に、図７（ｃ）に示すように、ユーザが指定単語「abuse」のテスト問題に正解した旨の操作（指定単語の意味内容を覚えていると判断した旨の操作）を行うと（ステップＳ１８；Ｙｅｓ）、選択単語帳テーブル８７０Ｓ（マーカ単語帳の単語帳テーブル８７０）において指定単語「abuse」に正解済みの旨が対応付けて記憶される（ステップＳ１９）。なお、本動作例においては、指定単語「abuse」の近傍に表示されたチェックボックスにチェックを入れることで、テスト問題に正解した旨の操作が行われるようになっている。
【００９０】
次に、ユーザが戻るキー２ｇを操作した後（ステップＳ２０；Ｙｅｓ）、図７（ｄ）に示すように、単語「grant」について上記と同様の操作を行うと（ステップＳ１４〜Ｓ１８）、選択単語帳テーブル８７０Ｓ（マーカ単語帳の単語帳テーブル８７０）において指定単語「grant」に正解済みの旨が対応付けて記憶される（ステップＳ１９）
【００９１】
次に、ユーザが情報表示処理の先頭へ移行する旨の操作を行った後（ステップＳ２１；Ｙｅｓ）、必修単語集の単語帳テーブル８７０（レベル（Ｃ）の単語帳テーブル８７０）を選択単語帳テーブル８７０Ｓとして選択すると（ステップＳ６１；Ｙｅｓ、ステップＴ１１；Ｙｅｓ）、レベル（Ａ）の単語帳テーブル８７０と選択単語帳テーブル８７０Ｓとの同期処理が行われ、選択単語帳テーブル８７０Ｓに含まれる未学習の単語のうち、レベル（Ａ）の単語帳テーブル８７０に含まれる各単語が、選択単語帳テーブル８７０Ｓ内で学習済み、かつ未正解とされる（ステップＴ１２）。なお、本動作例においては、このとき選択単語帳テーブル８７０Ｓには単語「grant」、「abuse」，…が未学習の単語として収録され、単語「differ」が未収録となっており、選択単語帳テーブル８７０Ｓにおける未学習の単語「grant」、「abuse」，…のうち、レベル（Ａ）の単語帳テーブル８７０に含まれる単語「grant」、「abuse」が選択単語帳テーブル８７０Ｓ内で学習済み、かつ未正解とされる。
【００９２】
次に、ユーザが選択単語帳テーブル８７０Ｓにおける学習済み、かつ未正解の単語を一覧表示する旨の操作を行うと（ステップＳ３５；Ｙｅｓ）、図８（ａ）に示すように、このような単語がメインディスプレイ１０に一覧表示される（ステップＳ３６）。
【００９３】
次に、ユーザがテスト問題をランダムに出題させる旨の操作を行うと（ステップＳ５１；Ｙｅｓ）、選択単語帳テーブル８７０Ｓにおける何れかの単語がランダムに指定され（ステップＳ５２）、図８（ｂ）に示すように、指定単語に関するテスト問題がメインディスプレイ１０に表示される（ステップＵ１）。なお、図８（ｂ）は、指定単語「abuse」についてテスト問題が表示された状態を図示している。
【００９４】
次に、ユーザが回答として単語「abuse」の綴りを入力すると（ステップＵ２）、回答が正解であると判定され（ステップＵ３；Ｙｅｓ）、図８（ｃ）に示すように、その旨が表示されるとともに、選択単語帳テーブル８７０Ｓにおいて指定単語「abuse」に学習済み、かつ正解済みの旨が対応付けて記憶される（ステップＵ４）。
【００９５】
次に、ユーザが次の問題を出題させる旨の操作を行うと（ステップＳ５４；Ｙｅｓ）、選択単語帳テーブル８７０Ｓにおける何れかの単語がランダムに指定され（ステップＳ５２）、図８（ｄ）に示すように、指定単語に関するテスト問題がメインディスプレイ１０に表示される（ステップＵ１）。なお、図８（ｄ）は、指定単語「stream」についてテスト問題が表示された状態を図示している。
【００９６】
次に、ユーザが回答として単語「stream」の綴りを入力すると（ステップＵ２）、回答が正解であると判定され（ステップＵ３；Ｙｅｓ）、図８（ｅ）に示すように、その旨が表示されるとともに、選択単語帳テーブル８７０Ｓにおいて指定単語「stream」に学習済み、かつ正解済みの旨が対応付けて記憶される（ステップＵ４）。
【００９７】
次に、ユーザが次の問題を出題させる旨の操作を行うと（ステップＳ５４；Ｙｅｓ）、選択単語帳テーブル８７０Ｓにおける何れかの単語がランダムに指定され（ステップＳ５２）、図８（ｆ）に示すように、指定単語に関するテスト問題がメインディスプレイ１０に表示される（ステップＵ１）。なお、図８（ｆ）は、指定単語「dinosaur」についてテスト問題が表示された状態を図示している。
【００９８】
次に、ユーザが回答として単語「dinosaur」の綴りを誤って入力すると（ステップＵ２）、回答が不正解であると判定され（ステップＵ３；Ｎｏ）、図８（ｇ）に示すように、その旨が表示されるとともに、選択単語帳テーブル８７０Ｓにおいて指定単語「stream」に学習済み、かつ未正解の旨が対応付けて記憶される（ステップＵ５）。
【００９９】
次に、ユーザが情報表示処理の先頭へ移行する旨の操作を行った後（ステップＳ２１；Ｙｅｓ）、受験単語集の単語帳テーブル８７０（レベル（Ｂ）の単語帳テーブル８７０）を選択単語帳テーブル８７０Ｓとして選択すると（ステップＳ３１；Ｙｅｓ、ステップＴ１；Ｙｅｓ）、レベル（Ａ）の単語帳テーブル８７０と選択単語帳テーブル８７０Ｓとの同期処理が行われ、選択単語帳テーブル８７０Ｓに含まれる未学習の単語のうち、レベル（Ａ）の単語帳テーブル８７０に含まれる各単語が、選択単語帳テーブル８７０Ｓ内で学習済み、かつ未正解とされる（ステップＴ２）。なお、本動作例においては、このとき選択単語帳テーブル８７０Ｓには単語「grant」、「abuse」，…が未学習の単語として収録され、単語「differ」が未収録となっており、選択単語帳テーブル８７０Ｓにおける未学習の単語「grant」、「abuse」，…のうち、レベル（Ａ）の単語帳テーブル８７０に含まれる単語「grant」、「abuse」が選択単語帳テーブル８７０Ｓ内で学習済み、かつ未正解とされる。
【０１００】
次に、レベル（Ｃ）の単語帳テーブル８７０と選択単語帳テーブル８７０Ｓとの同期処理が行われ、選択単語帳テーブル８７０Ｓに含まれる未正解の単語のうち、レベル（Ｃ）の単語帳テーブル８７０において学習済み、かつ未正解の旨に対応付けられた各単語が、選択単語帳テーブル８７０Ｓ内で学習済み、かつ未正解とされる。また、選択単語帳テーブル８７０Ｓに含まれる単語のうち、レベル（Ｃ）の単語帳テーブル８７０において学習済み、かつ正解済みの旨に対応付けられた各単語が、選択単語帳テーブル８７０Ｓ内で学習済み、かつ正解済とされる（ステップＴ４）。なお、本動作例においては、このとき選択単語帳テーブル８７０Ｓには単語「grant」、「abuse」，…が未正解の単語として収録され、単語「stream」、「dinosaur」が未収録となっており、選択単語帳テーブル８７０Ｓにおける未正解の単語「grant」、「abuse」，…のうち、レベル（Ｃ）の単語帳テーブル８７０に含まれる学習済み、かつ未正解の単語「grant」が選択単語帳テーブル８７０Ｓ内で学習済み、かつ未正解とされる。また、レベル（Ｃ）の単語帳テーブル８７０に含まれる学習済み、かつ正解済みの単語「abuse」が選択単語帳テーブル８７０Ｓ内で学習済み、かつ正解済みとされる。
【０１０１】
次に、ユーザが選択単語帳テーブル８７０Ｓにおける学習済み、かつ正解済みの単語を一覧表示する旨の操作を行うと（ステップＳ３３；Ｙｅｓ）、図９（ａ）に示すように、このような単語（ここでは「abuse」）がメインディスプレイ１０に一覧表示される（ステップＳ３４）。
【０１０２】
また、ユーザが選択単語帳テーブル８７０Ｓにおける学習済み、かつ正解済みの単語を一覧表示する旨の操作を行わず（ステップＳ３３；Ｎｏ）、選択単語帳テーブル８７０Ｓにおける学習済み、かつ未正解の単語を一覧表示する旨の操作を行うと（ステップＳ３５；Ｙｅｓ）、図９（ｂ）に示すように、このような単語（ここでは「grant」）がメインディスプレイ１０に一覧表示される（ステップＳ３６）。
【０１０３】
次に、ユーザが単語「grant」に対して指定操作を行うと（ステップＳ４１；Ｙｅｓ）、図９（ｃ）に示すように、指定単語「grant」に関するテスト問題がメインディスプレイ１０に表示される（ステップＵ１）。
【０１０４】
次に、ユーザが回答として選択肢「４」を入力すると（ステップＵ２）、回答が正解であると判定され（ステップＵ３；Ｙｅｓ）、図９（ｄ）に示すように、その旨が表示されるとともに、選択単語帳テーブル８７０Ｓにおいて指定単語「grant」に学習済み、かつ正解済みの旨が対応付けて記憶される（ステップＵ４）。
【０１０５】
以上の電子辞書１によれば、図３のステップＳ３２，Ｓ３４，Ｓ３６や図４、図９（ａ），（ｂ）などに示したように、単語帳テーブル８７０には複数の単語が記憶されるとともに、当該複数の単語のぞれぞれについて学習済み或いは未学習の旨が対応付けて記憶され、ユーザが単語帳テーブル８７０の何れかを選択単語帳テーブル８７０Ｓとして選択すると、選択単語帳テーブル８７０Ｓとは異なる少なくとも１つの他の単語帳テーブル８７０が参照され、選択単語帳テーブル８７０Ｓにおいて未学習の旨に対応付けられた単語のうち、他の単語帳テーブル８７０で学習済みの旨に対応付けられている単語が当該選択単語帳テーブル８７０Ｓで学習済みの旨に対応付けて記憶され、選択単語帳テーブルにおいて学習済みの旨に対応付けられた単語と、未学習の旨に対応付けられた単語とが区別して表示されるので、或る単語帳テーブル８７０での学習を中断して別の単語帳テーブル８７０で新たに学習を始める場合に、重複する単語を改めて学習し直す手間を省くことができる。従って、複数の単語帳を用いて学習を行う場合の学習効率を向上させることができる。
【０１０６】
また、図３のステップＳ３２，Ｓ６２や図４などに示したように、単語帳テーブル８７０に記憶された複数の単語のそれぞれについて、テスト問題にユーザが正解したか否かの判定結果に基づき正解済み或いは未正解の旨が対応付けて記憶され、選択単語帳テーブル８７０Ｓにおいて未正解の旨に対応付けられた単語のうち、他の単語帳テーブル８７０で正解済みの旨に対応付けられている単語が当該選択単語帳テーブル８７０Ｓで正解済みの旨に対応付けて記憶されるので、或る単語帳テーブル８７０での学習を中断して別の単語帳テーブル８７０で新たに学習を始める場合に、以前の単語帳テーブルでテスト問題に正解した単語については、新たな単語帳テーブルで改めてテストを行う手間を省くことができる。従って、複数の単語帳を用いて学習を行う場合の学習効率を向上させることができる。
【０１０７】
また、図４などに示したように、選択単語帳テーブル８７０Ｓのレベルが他の単語帳テーブル８７０のレベルより低い場合にのみ、当該選択単語帳テーブル８７０Ｓにおいて未正解の旨に対応付けられた単語のうち、他の単語帳テーブル８７０で正解済みの旨に対応付けられている単語が当該選択単語帳テーブル８７０Ｓで正解済みの旨に対応付けて記憶されるので、レベルの高い単語帳テーブル８７０での学習を中断してレベルの低い単語帳テーブル８７０で新たに学習を始める場合に、以前の単語帳テーブルで高レベルのテスト問題に正解した単語については、新たな単語帳テーブルで改めて低レベルのテストを行う手間を省くことができる。従って、複数の単語帳を用いて学習を行う場合の学習効率を向上させることができる。
【０１０８】
なお、本発明を適用可能な実施形態は、上述した実施形態に限定されることなく、本発明の趣旨を逸脱しない範囲で適宜変更可能である。
【０１０９】
例えば、本発明に係る情報表示装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る情報表示プログラム８１は、電子辞書１に対して着脱可能なメモリカード、ＣＤ等に記憶されることとしてもよい。
【０１１０】
また、選択単語帳テーブル８７０Ｓにおいて学習済みの旨に対応付けられた単語と、未学習の旨に対応付けられた単語とが別々に表示されることで両者が区別して表示されることとして説明したが、表示色や字体を異ならせることで両者が区別して表示されることとしても良い。
【０１１１】
また、選択単語帳テーブル８７０Ｓのレベルが他の単語帳テーブル８７０のレベルより低い場合にのみ、選択単語帳テーブル８７０Ｓにおいて未正解の旨に対応付けられた単語のうち、他の単語帳テーブル８７０で正解済みの旨に対応付けられている単語を、当該選択単語帳テーブル８７０Ｓで正解済みの旨に対応付けて記憶させることとして説明したが、レベルの高低に関わらず、他の単語帳テーブル８７０で正解済みの旨に対応付けられている単語を、当該選択単語帳テーブル８７０Ｓで正解済みの旨に対応付けて記憶させることとしても良い。
【０１１２】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の単語を記憶するとともに、当該複数の単語のぞれぞれについてユーザ操作に基づき学習済み或いは未学習の旨を対応付けて記憶した単語帳テーブルを複数記憶する単語帳テーブル記憶手段と、
ユーザ操作に基づいて、前記複数の単語帳テーブルの何れかを選択単語帳テーブルとして選択する単語帳選択手段と、
前記複数の単語帳テーブルのうち、前記選択単語帳テーブルとは異なる少なくとも１つの他の単語帳テーブルを参照し、前記選択単語帳テーブルにおいて未学習の旨に対応付けられた単語のうち、前記他の単語帳テーブルで学習済みの旨に対応付けられている単語を、当該選択単語帳テーブルで学習済みの旨に対応付けて記憶させる単語帳同期手段と、
前記選択単語帳テーブルにおいて学習済みの旨に対応付けられた単語と、未学習の旨に対応付けられた単語とを区別して表示させる単語表示制御手段と、
を備えることを特徴とする情報表示装置。
＜請求項２＞
請求項１記載の情報表示装置において、
前記複数の単語帳テーブルのうち、ユーザ操作により指定される指定単語帳テーブルに記憶された単語についてテスト問題を表示させるテスト問題表示制御手段と、
ユーザ操作に基づいて、前記テスト問題にユーザが正解したか否かを判定する正誤判定手段と、
を備え、
前記単語帳テーブル記憶手段は、
前記指定単語帳テーブルに記憶された複数の単語のそれぞれについて、前記正誤判定手段による判定結果に基づき正解済み或いは未正解の旨を対応付けて記憶する正誤記憶手段を有し、
前記単語帳同期手段は、
前記選択単語帳テーブルにおいて未正解の旨に対応付けられた単語のうち、前記他の単語帳テーブルで正解済みの旨に対応付けられている単語を、当該選択単語帳テーブルで正解済みの旨に対応付けて記憶させる正解・未正解同期手段を有することを特徴とする情報表示装置。
＜請求項３＞
請求項２記載の情報表示装置において、
前記単語帳テーブル記憶手段は、
記憶単語に対してユーザに要求される学習到達度のレベル別に単語帳テーブルを記憶しており、
前記正解・未正解同期手段は、
前記選択単語帳テーブルのレベルが前記他の単語帳テーブルのレベルより低い場合にのみ、
当該選択単語帳テーブルにおいて未正解の旨に対応付けられた単語のうち、前記他の単語帳テーブルで正解済みの旨に対応付けられている単語を、当該選択単語帳テーブルで正解済みの旨に対応付けて記憶させることを特徴とする情報表示装置。
＜請求項４＞
請求項３記載の情報表示装置において、
前記テスト問題表示制御手段は、
前記複数の単語帳テーブルのうち、所定の単語帳テーブルに記憶された単語については前記テスト問題として選択問題を表示させるとともに、当該単語帳テーブルよりもレベルの高い単語帳テーブルに記憶された単語については前記テスト問題として文字列の入力問題を表示させることを特徴とする情報表示装置。
＜請求項５＞
コンピュータに、
複数の単語を記憶するとともに、当該複数の単語のぞれぞれについてユーザ操作に基づき学習済み或いは未学習の旨を対応付けて記憶した単語帳テーブルを複数記憶する単語帳テーブル記憶機能と、
ユーザ操作に基づいて、前記複数の単語帳テーブルの何れかを選択単語帳テーブルとして選択する単語帳選択機能と、
前記複数の単語帳テーブルのうち、前記選択単語帳テーブルとは異なる少なくとも１つの他の単語帳テーブルを参照し、前記選択単語帳テーブルにおいて未学習の旨に対応付けられた単語のうち、前記他の単語帳テーブルで学習済みの旨に対応付けられている単語を、当該選択単語帳テーブルで学習済みの旨に対応付けて記憶させる単語帳同期機能と、
前記選択単語帳テーブルにおいて学習済みの旨に対応付けられた単語と、未学習の旨に対応付けられた単語とを区別して表示させる単語表示制御機能と、
を実現させることを特徴とする情報表示プログラム。
【符号の説明】
【０１１３】
１      電子辞書
２０    ＣＰＵ
３０    入力部
４０    表示部
８１    情報表示プログラム
【図１】
2013033118.tif 000003
【図２】
2013033118.tif 000004
【図３】
2013033118.tif 000005
【図４】
2013033118.tif 000006
【図５】
2013033118.tif 000007
【図６】
2013033118.tif 000008
【図７】
2013033118.tif 000009
【図８】
2013033118.tif 000010
【図９】
2013033118.tif 000011